【事件の表示】
　平成８年特許願第２８４０１１号「漂白洗浄剤組成物」拒絶査定に対する審判事件［平成１０年５月１９日出願公開、特開平１０−１３０６９７］について、次のとおり審決する。
【結　論】
　本件審判の請求は、成り立たない。
【理　由】
１．手続の経緯・本願発明
　本願は、平成８年１０月２５日の出願であって、その請求項１ないし５に係る発明は、平成１２年１０月２日付け手続補正書により補正された明細書の記載からみて、その特許請求の範囲の請求項１ないし５に記載された事項により特定されるとおりのものと認められるところ、その請求項１に係る発明（以下、「本願発明」という。）は次のとおりである。
「【請求項１】
（Ａ）過酸素化合物２０〜５０重量％、
（Ｂ）ヒドロキシ多価カルボン酸塩１５〜４０重量％、
（Ｃ）アクリル酸の重合体及びその塩、アクリル酸とマレイン酸との共重合体及びその塩の中から選ばれた少なくとも一種である有機電解質高分子重合体０．５〜１０重量％、
（Ｄ）（イ）脂肪酸アルカノールアミド、（ロ）１（「１」は丸数字。以下（ロ）〜（ニ）中化合物に先行する１、２、３は丸数字。）脂肪酸アルカノールアミドと２直鎖又は分岐の高級アルコール類又はアルキルフェノール類のアルキレンオキシド付加物との混合物、（ハ）１脂肪酸アルカノールアミドと３アルキルアミンオキシドとの混合物、又は（ニ）１脂肪酸アルカノールアミドと２直鎖又は分岐の高級アルコール類又はアルキルフェノール類のアルキレンオキシド付加物と３アルキルアミンオキシドとの混合物の中から選ばれた一種の界面活性剤０．５〜６重量％及び
（Ｅ）少なくとも硫酸塩を含み、必要に応じ硫酸塩、ケイ酸塩以外の洗浄ビルダーを含む、硫酸塩を主体とする洗浄ビルダー５〜６０重量％からなる有効成分を含有する漂白洗浄剤組成物。」
２．引用刊行物に記載された発明
　これに対して、原査定の拒絶の理由に引用された、本願の出願日前に頒布された特開平６−２９９１９６号公報には、
「【特許請求の範囲】
【請求項１】
（ａ）過酸素化合物　５〜７０重量％、
（ｂ）カルボン酸系ポリマー　１〜１０重量％、
（ｃ）二塩基カルボン酸乃至その塩　２〜２０重量％、
（ｄ）洗浄ビルダー　２０〜７０重量％、
（ｅ）洗剤酵素　０．１〜５重量％、
（ｆ）界面活性剤　０．５〜５重量％、
を含有し、且つその水溶液のｐＨが９〜１１の範囲内にあることを特徴とする粉末漂白洗浄剤組成物。」、
「【０００１】
【産業上の利用分野】
この発明は、二塩基カルボン酸を含有し、固結防止、貯蔵安定性に優れた漂白洗浄剤組成物に関し、更に詳しくは過酸素化合物の経日安定性が良好で、澱粉質汚れ、蛋白質汚れ、油脂汚れに対し優れた洗浄性能と共に刺激臭のない優れた漂白効果を有する漂白洗浄剤組成物に関する。」、
「【００１１】
ここで、過酸素化合物としては過炭酸塩、過硼酸塩、過フタル酸塩、硫酸ナトリウム過酸化水素付加物等を挙げることができる。」、
「【００１３】
カルボン酸系ポリマーとしては、ポリアクリル酸塩、アクリル酸とマレイン酸の共重合体の塩、ヒドロキシポリアクリル酸塩、マレイン酸とビニルエーテルとの共重合体の塩、ポリアセタールカルボキシレートのような高分子電解質を挙げることができる。
【００１４】
これらのポリマーは、単独で用いてもよいが、２種以上を組み合わせて使用してもよく、またこれらのポリマーは通常ナトリウム、カリウムなどのアルカリ金属塩であることが好ましく、更にその配合量は通常の洗浄剤に使用されるのと同様に１〜１０重量％　程度が適当である。」、
「【００１５】
この発明で用いる二塩基カルボン酸乃至その塩は、・・・例えばコハク酸、リンゴ酸、酒石酸、フマル酸乃至その塩またはその無水物を挙げることができる。」、
「【００１８】
洗浄ビルダーとしては、炭酸塩、重炭酸塩、燐酸塩、ホウ酸塩、珪酸塩などのアルカリ剤或は硫酸塩などを通常２０〜７０重量％　配合する。」、
「【００１９】
なお、この発明に係る漂白洗浄剤は上記洗浄ビルダー等の配合により水洗液中で例えば０．２　重量％　の割合で希釈した場合、過酸素化合物の分解が適当に行われるように、その水溶液が９〜１１の範囲内にあるように調整する。」、
「【００２２】
この発明の粉末漂白洗浄剤組成物においては、界面活性剤は非イオン界面活性剤、アニオン界面活性剤の一種または二種以上を組み合わせて構成される。
【００２３】
ここで、アニオン界面活性剤としては、アルキル又はアルケニルエーテル硫酸塩、アルキル又はアルケニル硫酸塩、オレフィンスルホン酸塩、アルカンスルホン酸塩、飽和又は不飽和脂肪酸塩、アルキル又はアルケニルエーテルカルボン酸塩、α−スルホ脂肪酸塩又はそのエステル類等を挙げることができる。
【００２４】
非イオン界面活性剤としては、ポリオキシアルキレンアルキル又はアルケニルエーテル、高級脂肪酸アルカノールアミド又はそのアルキレンオキサイド付加物、高級アルコールアルキレンオキサイド付加物、脂肪酸グリセリンモノエステル等を挙げることができる。」、
「【００２６】
この発明に係る漂白洗浄剤組成物は、例えば予備洗浄時の浸漬洗浄剤として、また自動食器洗浄用として最適であり、更には風呂釜等の洗浄にも使用することができる。」、
「【００２８】
また、組成物中にアミラーゼ、プロテアーゼ、リパーゼ、セルラーゼ等の洗剤酵素が含まれるため、澱粉質汚れ、蛋白質汚れ、油脂汚れに対して優れた洗浄性能を有する。
【００２９】
更に、漂白成分として過酸素化合物を使用し、しかも水溶液のｐＨを９〜１１になるように調整してあるため、刺激臭のない優れた漂白効果が得られる。」と記載されている。
３．対比・判断
　本願発明と引用刊行物に記載された発明とを対比する。
　本願発明の発明を特定する事項（Ａ）、（Ｂ）、（Ｃ）、（Ｄ）、（Ｅ）は、それぞれ引用刊行物の特許請求の範囲の請求項１に記載された（ａ）、（ｃ）、（ｂ）、（ｆ）、（ｄ）に対応するものである。また、同請求項１に、（ｅ）洗剤酵素を配合すること、洗浄剤の水溶液のｐＨが９〜１１であること、漂白洗浄剤組成物が粉末であることが記載されているが、本願明細書には、そういうものを除外する旨の記載はなく、相違点とはならない。
　そこで、本願発明の（Ａ）〜（Ｅ）の事項について、引用刊行物に記載された事項とを次のア．〜オ．で逐一対比して検討する。
　ア．（Ａ）について
　本願発明では「（Ａ）過酸素化合物　２０〜５０重量％」であるところ、引用刊行物には、「（ａ）過酸素化合物　５〜７０重量％」と記載されており（Ａ）の事項は、上記（ａ）に包含されるものである。
　イ．（Ｂ）について
　本願発明では、「（Ｂ）ヒドロキシ多価カルボン酸塩１５〜４０重量％」であるところ、引用刊行物には、「（ｃ）二塩基カルボン酸乃至その塩　２〜２０重量％」と記載されている。
　本願発明の「ヒドロキシ多価カルボン酸」については、発明の詳細な説明に「ヒドロキシ多価カルボン酸塩としては、例えばクエン酸，リンゴ酸，酒石酸，コハク酸，グルコン酸などのアルカリ金属塩、好ましくはナトリウム塩が挙げられる。」（段落【０００７】）と記載されており、一方、引用刊行物記載の「二塩基カルボン酸乃至その塩」としては、発明の詳細な説明に「例えばコハク酸、リンゴ酸、酒石酸、フマル酸乃至その塩またはその無水物」と記載されている。多価のものうち二価のものは、一致するから、（Ｂ）の事項は上記（ｃ）と相違するところはない。
　ウ．（Ｃ）について
　本願発明では、「（Ｃ）アクリル酸の重合体及びその塩、アクリル酸とマレイン酸との共重合体及びその塩の中から選ばれた少なくとも一種である有機電解質高分子重合体　０．５〜１０重量％」であるところ、引用刊行物には、「（ｂ）カルボン酸系ポリマー　１〜１０重量％」と記載され、その発明の詳細な説明には、「【００１３】カルボン酸系ポリマーとしては、ポリアクリル酸塩、アクリル酸とマレイン酸の共重合体の塩・・・のような高分子電解質を挙げることができる。」と記載されているから、（Ｃ）の事項は、上記（ｂ）と一致するものである。
　エ．（Ｄ）について
　本願発明では、「（Ｄ）（イ）脂肪酸アルカノールアミド、（ロ）１（「１」は丸数字。以下（ロ）〜（ニ）中化合物に先行する１、２、３は丸数字。）脂肪酸アルカノールアミドと２直鎖又は分岐の高級アルコール類又はアルキルフェノール類のアルキレンオキシド付加物との混合物、（ハ）１脂肪酸アルカノールアミドと３アルキルアミンオキシドとの混合物、又は（ニ）１脂肪酸アルカノールアミドと２直鎖又は分岐の高級アルコール類又はアルキルフェノール類のアルキレンオキシド付加物と３アルキルアミンオキシドとの混合物の中から選ばれた一種の界面活性剤０．５〜６重量％」であるところ、引用刊行物には、「（ｆ）界面活性剤　０．５〜５重量％」と記載され、その発明の詳細な説明には、「【００２２】この発明の粉末漂白洗浄剤組成物においては、界面活性剤は非イオン界面活性剤、アニオン界面活性剤の一種または二種以上を組み合わせて構成される。
【００２４】非イオン界面活性剤としては、・・・高級脂肪酸アルカノールアミド、・・・高級アルコールアルキレンオキサイド付加物、・・・等を挙げることができる。」と記載されているから、引用刊行物には、上記（ｆ）として、（Ｄ）（イ）及び（Ｄ）（ロ）の事項が記載されている。
　オ．（Ｅ）について
　本願発明でな、「（Ｅ）少なくとも硫酸塩を含み、必要に応じ硫酸塩、ケイ酸塩以外の洗浄ビルダーを含む、硫酸塩を主体とする洗浄ビルダー５〜６０重量％」であるところ、引用刊行物には、「（ｄ）洗浄ビルダー　２０〜７０重量％」と記載され、その発明の詳細な説明には、「【００１８】洗浄ビルダーとしては、炭酸塩、重炭酸塩、燐酸塩、ホウ酸塩、珪酸塩などのアルカリ剤或は硫酸塩などを通常２０〜７０重量％　配合する。」と記載されている。
　ところで、本願発明では、硫酸塩を主体とし、任意成分として他の洗浄ビルダー（硫酸塩、ケイ酸塩を除く。）からなるものを用いているが、引用刊行物に例示された洗浄ビルダーのうちのどれを主体とするのも設計事項であり、本願発明のように硫酸塩を主体とすることは、当業者が容易になし得る事項である。
　本願発明の上記（Ａ）〜（Ｅ）の事項についての対比・判断は以上のとおりであるが、請求人は、請求の理由において、本願発明の（Ｃ）及び（Ｄ）の事項は、引用刊行物の発明の詳細な説明に例示的記載があるのみで、実施例をもって具体的に開示がないから、本願発明で、（Ｃ）及び（Ｄ）の事項を採用することは当業者が容易になし得る事項ではない旨主張しているが、（Ｃ）及び（Ｄ）の事項は、洗剤組成を構成するための常用成分であるから、発明の詳細な説明に記載された範囲で選択することに何らの困難性はない。
　そして、本願発明で目的・効果とする「特にしつこい油汚れの洗浄性能に優れ、食器や調理器具などの硬表面に付着している色素汚れなどを容易に除去することができ、かつ食器，調理器具等に水斑を残さないなど硬表面の仕上がり性が良好で、特に自動食器洗い機用として、あるいは食器，調理器具の浸漬洗浄用として好適に用いられる」ことも引用刊行物の「【０００１】【産業上の利用分野】この発明は、澱粉質汚れ、蛋白質汚れ、油脂汚れに対し優れた洗浄性能と共に刺激臭のない優れた漂白効果を有する漂白洗浄剤組成物に関する。」、「【００２６】この発明に係る漂白洗浄剤組成物は、例えば予備洗浄時の浸漬洗浄剤として、また自動食器洗浄用として最適であり」と概略同等のものにすぎない。
　したがって、本願発明は、引用刊行物に記載された発明に基づいて当業者が容易に発明をすることができたものと認められる。
４．むすび
　以上のとおりであるから、本願発明は、特許法第２９条第２項の規定により特許を受けることができない。
　したがって、他の請求項２ないし５についての判断を示すまでもなく、本願は拒絶すべきものである。
　よって、結論のとおり審決する。